(57)【要約】【課題】  駅のホームでの高所作業時に使用する移動式足場において、手摺り枠の支持高さを迅速且つ安全に変更できるようにすること。【解決手段】  支持枠１上に作業床９を形成し、支持枠の四隅の脚４には縦ガイド２３を設け、手摺り枠２の左右縦材１６を、左右の縦ガイドに対して上下にスライド可能に設け、縦ガイドと縦材の双方の抜穴に固定ピン２６を差し込んで手摺り枠の高さを決め、固定ピンの差し込み状態をロック手段２７で保持する移動式足場において、ロック手段は固定ピンを抜穴に出入り可能に支持すると共に固定ピンをバネ２８の力で抜穴に押し込むもので、左右のロック手段をまとめて解除するために、紐状のロック解除手段３４を左右のロック手段の固定ピン同士に繋いである。作業床の周りを囲む巾木を脚の上端部に着脱可能に取り付け、巾木が手摺り枠の昇降範囲から外れている。【選択図】      図１
2005113547.tif 000002
【特許請求の範囲】
【請求項１】
直方体に枠組みされた支持枠（１）上に作業床（９）を形成し、支持枠（１）の四隅の脚（４）には縦ガイド（２３）をそれぞれ設け、手摺り枠（２）の左右の縦材（１６）を、左右の縦ガイド（２３）に対して上下にスライド可能に設け、縦ガイドと縦材の双方の抜穴（２４，２５）に固定ピン（２６）を差し込んで手摺り枠（２）の高さを位置決めし、固定ピンの差し込み状態をロック手段（２７）で保持する移動式足場において、
ロック手段（２７）は固定ピン（２６）を抜穴に出入りする方向にスライド可能に支持すると共に固定ピンをバネ（２８）の力で抜穴に押し込むもので、
左右のロック手段をまとめて解除するために、紐状のロック解除手段（３４）を左右のロック手段の固定ピン（２６）同士に繋いであることを特徴とする移動式足場。
【請求項２】
手摺り枠（２）の支持高さを段階的に変更するために抜穴（２４）を、縦ガイド（２３）の上下に沿って間隔をあけて複数設け、作業床（９）の周りを囲む巾木（１０）を脚（４）の上端部に着脱可能に取り付け、巾木（１０）が手摺り枠（２）の昇降範囲から外れていることを特徴とする請求項１記載の移動式足場。
【発明の詳細な説明】
【技術分野】
【０００１】
本発明は、主に列車に乗り降りする駅のホームでの高所作業時に使用する移動式足場に関するもので、更に詳しく言えば、足場に載った人の周りを囲む手摺りを昇降させる構造に関連がある。
【背景技術】
【０００２】
駅のホームの端で高所作業をするときには、移動式足場を利用している。移動式足場は、直方体形状の支持枠の上に作業床を形成し、支持枠の脚に沿って手摺り枠を昇降可能に設けたもので、手摺り枠を作業床よりも引き上げた状態で作業していた。そして、電車がホームに近づく前には、万一にも足場が電車に触れないように、ホームの中央側に足場を移動させている。
【０００３】
ところで、ホームの端の上方にはワイヤーが張ってあり、乗車口付近では、ワイヤーに列車名の号車等を示す掲示板を吊り下げてある。そうすると、手摺り枠を高く上げたまま移動するとワイヤーに引っ掛かるので、手摺り枠を下げて移動している。そして、ホームという場所柄上、移動作業は安全に短時間で完了できることが望ましい。
【０００４】
ところが、従来品で手摺り枠を下げる場合には、手摺り枠の左右の柱から固定ピンを別々に抜き出し、さらに、手摺り枠を少し引き上げながら掛け金具を回して、手摺り枠の仮受け状態を解除する必要があり、作業時間が長かった。また、固定ピンには抜け止め（ロック）用にテーパーピンを差し込んであるので、テーパーピンを外した後に固定ピンを抜き出すという手順となり、この分も作業時間がかかる一因となっている。その上、固定ピンは鎖で手摺り枠に繋がっているが、テーパーピンは繋がってないので、レール付近に落下するおそれもある。従って、手摺り枠を従来よりも迅速且つ安全に下げられるようにすることが望まれる。
【０００５】
また、作業する場所によっては、四面の手摺り枠のうち特定の面の手摺り枠を他のものよりも少し下げて作業したい場合もある。ところが、従来品は、手摺り枠を支持できる高さは一箇所だけだったので、このような場合、特定面の手摺り枠を完全に下げた状態で作業せざるをえなかった。また、作業床の直ぐ上の周りには巾木が取り付けてあり、巾木によって物の落下を防止している。しかし、従来品は、巾木を手摺り枠に一体化しているので、手摺り枠を完全に引き上げたときにのみその機能を発揮し、それ以外の場合には巾木が作業床よりも低くなり、その機能を発揮できない。
【特許文献１】特開２０００−１７８２９号公報
【発明の開示】
【発明が解決しようとする課題】
【０００６】
本発明は上記実情を考慮して開発されたもので、その解決しようとする課題は、手摺り枠の支持高さを迅速且つ安全に変更できるようにすることである。また、別の解決課題としては、手摺り枠の高さを変更した場合にでも、巾木の高さをその機能を十分に発揮できる位置に維持できるようにすることである。
【課題を解決するための手段】
【０００７】
本発明は、直方体に枠組みされた支持枠上に作業床を形成し、支持枠の四隅の脚には縦ガイドをそれぞれ設け、手摺り枠の左右の縦材を、左右の縦ガイドに対して上下にスライド可能に設け、縦ガイドと縦材の双方の抜穴に固定ピンを差し込んで手摺り枠の高さを位置決めし、固定ピンの差し込み状態をロック手段で保持する移動式足場を前提とする。
【０００８】
請求項１記載の発明は、ロック手段は固定ピンを抜穴に出入りする方向にスライド可能に支持すると共に固定ピンをバネの力で抜穴に押し込むもので、左右のロック手段をまとめて解除するために、紐状のロック解除手段を左右のロック手段の固定ピン同士に繋いであることを特徴とする。
【０００９】
ロック解除手段を引っ張ることによって、手摺り枠を支持している左右のロック手段の固定ピンを抜穴からまとめて引き抜くことができる。
【００１０】
手摺り枠の支持高さは必ずしも一定の高さには限定されない。例えば、請求項２記載の発明は、手摺り枠の支持高さを段階的に変更するために抜穴を、縦ガイドの上下に沿って間隔をあけて複数設け、作業床の周りを囲む巾木を脚の上端部に着脱可能に取り付け、巾木が手摺り枠の昇降範囲から外れているものでも良い。
【発明の効果】
【００１１】
請求項１記載の発明は、ロック解除手段としての紐を引っ張るだけで、左右のロック手段が一挙に解除されて、手摺り枠がスライド可能となるので、手摺り枠を昇降する作業が迅速に行える。また、ロック解除手段としての紐が固定ピン同士に繋がれているので、ロック解除手段が落下することもなく、安全性にも優れている。
【００１２】
請求項２記載の発明は、縦ガイドの上下に沿って複数の抜穴をあけてあるので、手摺り枠の支持高さを段階的に調整できる。しかも、手摺り枠の昇降範囲から外れて巾木を脚の上端部に取り付けてあるので、手摺り枠の昇降に巾木が干渉しない。従って、手摺り枠の高さを変更した場合にでも、巾木は移動せずに脚の上端部に位置し続け、巾木としての機能を十分に発揮できる。なお、巾木を着脱可能にしてあるので、着脱作業を迅速に行える。
【発明を実施するための最良の形態】
【００１３】
移動式足場は人が持ち運べる重量で、図１又は図４から図６に示すように、直方体に枠組みされた支持枠１の前後左右四面に手摺り枠２を段階的に昇降可能に設けてある。
【００１４】
支持枠１は、パイプを連結したもので、キャスター３付きの四本の脚４を筋交５や横架材６で直方体に枠組みしてある。四本の脚４の上部には一対の横架材６，６が左右に対向する状態で架設してあり、左右の横架材６，６に対してパンチングメタルの踏み板７のフック８を引っ掛けて、踏み板７を水平に支え、並列する複数枚の踏み板７で作業床９を形成してある。
【００１５】
前後又は左右に対向する二本の脚４の上端部には巾木１０を、手摺り枠２の昇降範囲の内側に着脱可能に取り付けてある。巾木１０は、Ｌ字の屈曲板で、一片を作業床９の上に載せ、他片を起立させて作業床９の直ぐ上の周囲を覆うもので、図１、図４等では分かりやすいように太い斜め線の模様を描いてある。図７に示すように一本の脚４に二枚の巾木１０の端部を直交する状態で取り付けるために、各巾木１０にはジョイント１１がボルトで止めてある。一方の巾木１０のジョイント１１は、脚４の上端部に挿入する筒部１２と、筒部１２から延びる鉛直な接続片１３とからなり、接続片１３の上面にスリット１４を入れてある。脚４の上端部は段差状に小径となっており、その小径部分に筒部１２を差し込む。他方の巾木１０のジョイント１１も鉛直な片であって、下面に別のスリット１５をあけてある。そして、両スリット同士が嵌り合うことによって、両ジョイント１１同士が位置決めされ、二本の巾木１０が直交する。
【００１６】
手摺り枠２は、左右の縦材１６の上端部間に手摺り本体１７を架設し、高さ中間部の間に架設する中桟１８を、それよりも上方でスライド式に昇降可能に支持するものである。
【００１７】
中桟１８を昇降可能に設けるために図４に示すように、中桟１８の左右両端部に挿入片１９を延長し、挿入片１９の先端に筒型のスライダー２０を有し、スライダー２０が縦材１６の中で昇降する。一方、縦材１６には高さ中間部から手摺り本体１７付近の範囲に亘って、挿入片１９を通す縦長スリット２１を形成してある。そして、縦長スリット２１の下端に挿入片１９が載ることによって中桟１８を縦材１６の高さ中間部で支持し、中桟１８を縦長スリット２１の上方にスライド可能としてある。
【００１８】
手摺り枠２を段階的に昇降可能に設ける構造は以下の通りである。図１又は図５に示すように支持枠１の各脚４の両側にブラケット２２を介して二本の筒形の縦ガイド２３を沿わせて固定し、隣り合う二本の脚４の内側寄りの縦ガイド２３に対して、支持枠１の左右の縦材１６を上下にスライド可能に挿入してある。また、縦ガイド２３と縦材１６の双方に抜穴２４，２５をあけると共に、縦材１６の抜穴２５は高さ調整用に上下に間隔をおいて複数あけてあり、双方の抜穴同士に固定ピン２６を差し込んで、支持枠１に対する手摺り枠２の高さを位置決めし、固定ピン２６の差し込み状態をロック手段２７で保持する。
【００１９】
ロック手段２７は、固定ピン２６を抜穴２４，２５に出入りする方向にスライド可能に支持すると共に固定ピン２６をバネ２８の力で抜穴に押し込むものである。具体的には、縦ガイド２３に補強プレート２９を水平に固定し、補強プレート２９上に筒状のケーシング３０を固定し、ケーシング３０にはバネ２８と固定ピン２６の後部を収容し、バネ２８の力で固定ピン２６の先部を抜穴に押し込む。また、補強プレート２９上のケーシング３０の前には間隔をあけてスリーブ３１を固定し、スリーブ３１には固定ピン２６の中間部を収容し、ストッパー３２としてのボルトを固定ピン２６から突出し、ストッパー３２をスリーブ３１とケーシング３０の間で移動可能としてある。補強プレート２９にもストッパー３２の移動を妨げないように、長穴３３をあけてある。
【００２０】
また、左右のロック手段２７をまとめて解除するロック解除手段３４が設けてある。ロック解除手段３４は、可撓性のある紐状のもの（例えばワイヤー）であって、紐の両端を左右のロック手段２７のストッパー３２に繋いである。ストッパー３２は固定ピン２６にネジ止めしてあるので、紐の両端は実質、左右の固定ピン同士に繋いであるといえる。従って、紐を引っ張れば、左右の固定ピン同士が抜穴からそれぞれ引き抜かれて、手摺り枠２が昇降可能な状態となる。よって、手摺り枠２を手で支えながら紐を引っ張り、ロックを解除すれば、所望の高さに手摺り枠２を引き下げることができる。なお、図４に示すように完全に引き上げた状態から手摺り枠２を下げていくと、図５（イ）に示すように中桟１８が縦ガイド２３の上端に載った状態となり、さらに下げていくと、図５（ロ）に示すように、不動の中桟１８に対して縦材１６がその縦長スリット２１を利用して下がっていき、手摺り本体１７が中桟１８に接近する。
【００２１】
また、手摺り枠２を段階的に引き上げる際に、ロック解除手段３４を用いることなく、手摺り枠２を引き上げるだけで、ロック手段２７のロックを解除可能としてある。図１に示すようにバネ２８の力で固定ピン２６が抜穴に突入した状態では、ストッパー３２がスリーブ３１に押し付けられることによって、抜穴に対する固定ピン２６の突入量が決定される。一方、図２に示すようにバネ２８の力に逆らってストッパー３２をケーシング３０側に押し込んだ状態では抜穴から固定ピン２６が抜き出され、縦材１６が縦ガイド２３に対してスライド可能となる。そして、固定ピン２６の先端面３５は、傾斜面、より詳しく言えば先端に向かうにつれて高くなる傾斜面であって、固定ピン２６の突入量が決定した状態では、傾斜面が縦材の抜穴２５の下面側を向き、縦ガイド２３に対して縦材１６を引き上げる方向に力をかけると、傾斜面が抜穴の下面に干渉して、図３に示すように固定ピン２６が縦材の抜穴２５から押し出されるので、ロック解除手段３４を使わなくても、単に手摺り枠２を引き上げるだけで、ロックが解除され、段階的な引き上げ作業が迅速に完了する。
【図面の簡単な説明】
【００２２】
【図１】本発明の移動式足場を示す一部拡大正面図である。
【図２】紐を引っ張った状態のロック手段を示す断面図である。
【図３】手摺り枠を引き上げている最中のロック手段を示す断面図である。
【図４】（イ）図は移動式足場を示す側面図、（ロ）図はＡ−Ａ線断面図、（ハ）図は支持枠と作業床を分解した側面図である。
【図５】（イ）図は手摺り枠を途中まで下げた状態を示す正面図、（ロ）図は下まで下げた状態を示す正面図である。
【図６】移動式足場を示す一部拡大平面図である。
【図７】（イ）図は巾木と支持枠との要部分解図、（ロ）図は組立図である。
【符号の説明】
【００２３】
１  支持枠
２  手摺り枠
４  脚
９  作業床
１０  巾木
１６  縦材
２３  縦ガイド
２４、２５  抜穴
２６  固定ピン
２７  ロック手段
２８  バネ
３４  ロック解除手段
【図１】
2005113547.tif 000003
【図２】
2005113547.tif 000004
【図３】
2005113547.tif 000005
【図４】
2005113547.tif 000006
【図５】
2005113547.tif 000007
【図６】
2005113547.tif 000008
【図７】
2005113547.tif 000009